(57)【要約】      （修正有）【課題】段部隅際のある製作物の隅際までのローレット加工と別溝サイズ駒の交換を速やかに行い、作業効率を良くする。【解決手段】ローレット駒の円中心に皿ザグリと円錐台形軸の軸径が入る穴を設け、円錐台形軸は皿ビス形状として、ローレット駒の穴に組み入れたあと、取り付けブロックの二連の横穴より挿入する。丸ピンを取り付けブロックの上部穴より円錐台形軸の上と下の螺旋半円溝に合わせて挿入する。取り付けブロックとベース本体は、ボルトビンで連結され、ベース本体を機械に装着して作業する。通常九時方向、視野の反時計回転作業では、円錐台形軸は時計回りの摩擦回転力が起き、螺旋半円溝が左ネジレの作用で、円錐台形軸の頭部がローレット駒を取り付けブロックの側面方向に、押し付ける動きが生まれる。【選択図】図１
0003137810.tif 000002
【実用新案登録請求の範囲】
【請求項１】
転造ローレット駒の側面を円錐台形の穴にし、一方の軸は円錐台形の凸頭を付けて、円錐台形頭部に３等分の割溝を入れ、軸部に丸ピンの半径溝を反時計回りに入れ、（円錐台形軸）を組み合わせて片支持構造を可能にする。
丸ピンを抜き差しするだけで、別駒交換が速に行うことが出来るようにした。
以上の構造により工夫された、片支持ローレット工具機の請求範囲
【考案の詳細な説明】
【技術分野】
【０００１】本考案は、生活産業品及び機械部品の中で、ツマミ及びグリップハンドルなど滑り止め部の、アヤ目又は平目溝のローレット加工をする、工作工具機で旋盤及び工作機械に取り付けて作業する物である。
【背景技術】
【０００２】従来のローレット工具機は、駒を両端支持の構造で、取り付けブロックの中間に駒を挟み入れ横穴からピンを圧入して固定されていた物が主流であった。
図２、下  従来の概要図を参照
【考案の開示】
【考案が解決しようとする課題】
【０００３】（ア）側断面の有する製品隅角部までのローレット加工が不可能であった。
（イ）別種類ピッチ駒の交換が容易に出来ない難点があった。
（ウ）従来は軸の圧入ピンが摩耗すると、ローレット駒と軸の隙間が出来ローレット溝の重なり部分ができ見た目が悪かった。
本案はこれらの課題を解決するものである。
【課題を解決するための手段】
【０００４】（ア）（図１−１）転造ローレット駒の穴を円錐台形の凹穴にし、その凹穴と同形の凸頭を持つ支持軸を合わせる事で片支持構造が隅角部までの加工を可能にする。
（イ）（図１−２）円錐台形軸の頭部には３等分の割溝を軸部付近まで入れる、過剰な回転締まり圧力を弱める働きをし、軸部の溝は、丸ピンの半径ネジレ溝で、左ネジの作用から、ローレット駒を密着し片支持構造を可能にする。
（ウ）支持軸と駒の接触面がテーパー構造のため長期使用による磨耗の隙間が無く片支持力が保てる。
（エ）（図１−４）丸ピンを抜き差しする、縦と横の交差穴が円錐台形軸の装脱着を容易にし、別の駒の交換を敏速にする。
【考案の効果】
【０００５】転造ローレット駒を片支持に施工した事で上段、端面隅際までの加工が出来、取り付けブロックを左右反転する事で、反対断面の有る隅部の加工も対応できる。
従来よりもチャッキング部に接近する事ができ、小物のローレット加工が容易になり、丸ピンを抜き差しするだけで軸とローレット駒を外す事ができ、別ピッチサイズの駒交換が、短時間かつ容易に出来る様になった。
以上の効果がえられた。
【考案を実施するための最良の状態】
【０００６】以下本考案の実施例について説明する。
（ア）（図１−１）ローレット駒の側面にジョウゴ形状の穴を設ける。
（図１−２）円錐台形軸の頭部に３等分の割溝を軸付近まで入れ円錐台形軸の軸部には、反時計ネジレに丸ピン径の半円溝を設ける。
（イ）円錐台形軸を転造ローレット駒に合わせて（図１−３）取り付けブロックの横穴より挿入する。
（ウ）（図１−４）丸ピンを（図１−３）取り付けブロック上部の穴から挿入し縦穴と横穴は半円づつ交差させているため、丸ピンが上下二段の横軸を通りローレット駒と円錐台形軸が組みこまれる構造である。
（エ）（図１−５）ボルトピンの入る、取り付けブロックの横穴はローレット駒側のみネジ穴にし、もう一方の穴と、（図１−６）ベース本体の穴は、通しの穴にする事で、取り付けブロックが上下に多少動く（これは従来も同様の動きとなる）
（オ）取り付けブロックと、ベース本体が連結して完成する。
工作機械に取り付け、作業をする片支持ローレット工具機である。
本考案は以上のような構成で実施される。
【図面の簡単な説明】
【０００７】
【図１】本考案の斜視図である。
【図２】考案の使用中の斜視図である。
【符号の説明】
【０００８】１転造ローレット駒
２円錐台形軸
３取り付けブロット
４丸ピン
５ボルトピン
６ベース本体
【図１】
0003137810.tif 000003
【図２】
0003137810.tif 000004
【手続補正書】
【提出日】平成19年8月20日(2007.8.20)
【手続補正１】
【補正対象書類名】実用新案登録請求の範囲
【補正対象項目名】全文
【補正方法】変更
【補正の内容】
【実用新案登録請求の範囲】
【請求項１】
既製のローレット駒の円中心に、皿ビスの形状が入る皿ザグリと円錐台形軸が入る穴径を形成する。円錐台形軸は皿ビス形状とし、頭部に三等分の割り溝を入れ、ローレット駒の皿ザグリ穴に合わせ、円錐台形軸の軸径はローレット駒の穴に通る直径にする。
ローレット駒の穴に円錐台形軸を組み合わせて、取り付けブロックの横穴より挿入する事で、ローレット駒が片支持の構造と成る。
円錐台形軸の軸部に反時計回りの半円螺旋溝を入れ、取り付けブロックの上部穴から丸ピンを挿入すると、軸部の半円溝に通し合体する構造と成り、ローレット駒と円錐台形軸が抜け無くなる、と同時に円錐台形軸の挿脱着が速やかに、別駒の交換を容易にする工夫。
以上の片支持構造と駒交換の構成による片支持ローレット工具
【手続補正３】
【補正対象書類名】明細書
【補正対象項目名】全文
【補正方法】変更
【補正の内容】
【考案の詳細な説明】
【技術分野】
【０００１】本考案は、生活産業品及び機械部品の中で、ツマミ及びグリップハンドルなど滑り止め部の、アヤ目又は平目溝のローレット溝加工をする、工具で旋盤及び工作機械に取り付けて作業する物である。
【背景技術】
【０００２】従来のローレット工具は、駒を両端支持の構造で、取り付けブロック幅の中間に駒幅の溝を入れ駒を挟み、横穴よりピンを圧入通しで固定されていた。
【考案の開示】
【発明が解決しょうとする課題】
【０００３】これらは次のような問題となる課題がある。
従来は側断面のある製品段部、隅際までのローレット加工が不可能で別種類ピッチ駒の交換が速やかに出来ない問題点があった。従来はローレット駒を支持軸とする圧入ピンが摩耗するとローレット駒と圧入ピンの支軸部が、隙間が出来ローレット溝の重なり部分が生まれ、見ためが悪かった。
本案はこれらの問題点を解決するものである。
【課題を解決するための手段】
【０００４】（イ）ローレット駒の円の中心に円錐台形軸が通る穴と、円錐台形の頭が入る皿ザグリ穴を設ける。
（ロ）円錐台形軸の頭部には三等分の割り溝を軸部付近まで入れ、割り溝を入れる事で過剰な回転摩擦力が発生した際に、一時的に円錐台形軸の接触する頭の一部分が逃げて、過剰な回転摩擦伝動を弱める働きをする。
また、軸外径には、丸ピン径の半円溝を螺旋状に反時計回りに入れ、丸ピンを挿入する事で、円錐台形軸が摩擦回転作用時に支点となり、ローレット駒と円錐台形軸が、左ネジレの作用で取り付けブロック方向に押され、片支持作用が安定する。
（ハ）取り付けブロックの上下穴と二連の横穴が半円ずつ交差する穴とし丸ピンを抜き差しするだけで、円錐台形軸が挿脱着することが出来、各種の駒交換が容易になる。
長期使用による、円錐台形軸とローレット駒の摩耗は、接触面がテーパー構造で有るため、ローレット駒の摩察する回転で、円錐台形軸が常時押される事で、摩耗減りによる隙間がない。
【考案の効果】
【０００５】片支持構造の効果が、段部隅際部と機械のスクロールチャック先端部までの、接近加工が出来るように成り、またローレット駒と円錐台形軸を、スクロールチャック側の左手より、取り付けブロックの右側の穴に付け替える事で製品の右手、段部隅際部のローレット加工も対応できる。
また、丸ピンを抜き差しするだけで円錐台形軸を付け替える事が出来、別ピッチサイズの駒交換が、短時間かつ容易に出来る様になった。
【考案を実施するための最良の状態】
【０００６】以下本案の実施例について説明する。
（図１−１）ローレット駒の皿ザグリ形状穴に、（図１−２）円錐台形軸をはめ込み（図１−３）取り付けブロックの二連の横穴より、右ネジレの駒と左ネジレの駒をそれぞれ円錐台形軸と組入れ、（図１−４）丸ピンを取り付けブロック上部穴より、円錐台形軸の半円溝に合わせ入れ、取り付けブロックと（図１−６）ベース本体は、（図１−５）ボルトピンで連結し多少上下に動く様になる。ベース本体を工作機械に取り付けて、ローレット加工を実施する。
【図面の簡単な説明】
【０００７】
【図１】本考案の、各部品の斜視図である。
【図２】本考案の使用中の斜視図である。
【符号の説明】
【０００８】図１−１  ローレット駒
図１−２  円錐台形軸
図１−３  取り付けブロック
図１−４  丸ピン
図１−５  ボルトピン
図１−６  ベース本体
【手続補正４】
【補正対象書類名】図面
【補正対象項目名】図１
【補正方法】変更
【補正の内容】
【図１】
0003137810.tif 000005
【手続補正５】
【補正対象書類名】図面
【補正対象項目名】図２
【補正方法】変更
【補正の内容】
【図２】
0003137810.tif 000006